(57)【要約】【課題】側枠材間に張設した布帛によって肢体を支えるクッション面を構成したクッションパネルの使用時の布帛と側枠材との安定した係合状態が保たれ、フレームが軽量で強度的に安定し、軽量で車両の座面や背凭れに最適のクッションパネルを提供する。【解決手段】布張フレーム１３の向き合う側枠材間１１ａ・１１ｂに布帛を張設した布張パネル１４を支持フレーム２３で支持してクッションパネルを構成する。支持フレームの側枠材２１は、布張フレームの側枠材１１の裏面に重ね合わせて一体化する。布張フレームの側枠材と支持フレームの側枠材は偏平断面形状にする。布張フレームの側枠材１１と支持フレームの側枠材２１との重合密着箇所において、布張フレームの側枠材１１がフランジとウェブから成る形鋼のフランジに該当し、支持フレームの側枠材２１がフランジとウェブから成る形鋼のウェブに該当する断面形状にする。【選択図】図５
2007020840.tif 000002
【特許請求の範囲】
【請求項１】
（ａ）  所要の距離をおいて左右向き合う偏平断面形状の側枠材１１ａと側枠材１１ｂを連結材１２で連結して成る布張フレーム１３の当該側枠材間１１ａ・１１ｂに布帛４０を張設して成る布張パネル１４と、それらの側枠材１１ａ・１１ｂに密着して布張パネル１４を支持する支持フレーム２３とから成り、
（ｂ）  布張フレームの側枠材１１ａ・１１ｂの偏平断面形状における縦横一方の寸法の長い長辺が、それらの側枠材間１１ａ・１１ｂに張設された布帛４０に対面しており、
（ｃ）  支持フレーム２３は、布帛４０に対して表裏する布張フレーム１３の側枠材１１ａ・１１ｂの裏面に重なり合って密着しており、
（ｄ）  布張フレームの側枠材１１ａ・１１ｂの裏面に重なり合って密着している支持フレーム２３の重合密着箇所が、少なくとも一部が偏平断面形状を成す側枠材２１ａ・２１ｂによって構成されており、
（ｅ）  その支持フレームの側枠材２１ａ・２１ｂの偏平断面形状における縦横一方の寸法の短い短辺が、布張フレームの側枠材１１ａ・１１ｂの底裏面１５に向けられており、
（ｆ）  布張フレームの側枠材１１ａ・１１ｂと支持フレームの側枠材２１ａ・２１ｂとの密着箇所において、布張フレームの偏平断面形状の側枠材１１ａ・１１ｂが交叉したフランジとウェブから成る形鋼のフランジに該当し、支持フレームの偏平断面形状の側枠材２１ａ・２１ｂが交叉したフランジとウェブから成る形鋼のウェブに該当する断面形状を布張フレームの側枠材１１ａ・１１ｂと支持フレームの側枠材２１ａ・２１ｂが構成しており、
（ｇ）  布張フレーム１３の向き合う側枠材１１ａと側枠材１１ｂの各底裏面１５・１５にそれぞれ密着している支持フレームの側枠材２１ａと側枠材２１ｂの間が連結材２２によって連結されており、
（ｈ）  布張パネル１４と支持フレーム２３が接合されており、
（ｉ）  布張フレームの向き合う側枠材１１ａと側枠材１１ｂの間に張設された布帛４０が、肢体に当接して肢体を支えるクッション面１０を構成していることを特徴とするクッションパネル。
【請求項２】
（ｊ）  布張フレームの側枠材１１ａ・１１ｂの偏平断面形状における布帛４０に対面している長辺の寸法Ｗが、その長辺に直交する短辺の寸法Ｔの４倍以上であり、
（ｋ）  支持フレームの側枠材２１ａ・２１ｂの偏平断面形状における布張フレームの側枠材の底裏面１５に向けられている短辺の寸法Ｖが、その短辺に直交する長辺の寸法Ｓの四分の一以下であり、
（ｌ）  布張パネルの底裏面１５に当接する支持フレームの向き合う側枠材２１ａと側枠材２１ｂの各上縁から、それらの側枠材２１ａと側枠材２１ｂが向き合う方向に向けて、布張パネルの底裏面１５に当接する受け縁２５がそれぞれ突出しており、
（ｍ）  布張フレーム１３と支持フレーム２３が、それらの重なり合う方向において互いに係合する係止治具１６・２６を具備し、
（ｎ）  布張パネル１４と支持フレーム２３が、それらの係止治具１６・２６を介して係脱可能に接合されている前掲請求項１に記載のクッションパネル。
【請求項３】
（ｏ）  布帛４０に対面している布張フレームの側枠材の表平面１７が、クッション面１０の内側中央部が支持フレーム側（２３）に向けて窪む方向に、布張フレーム１３の側縁から傾斜した斜面になっている前掲請求項１と２の何れかに記載のクッションパネル。
【請求項４】
（ｐ）  支持フレームの側枠材２１の布張パネルの底裏面１５に密着して当該支持フレームの側枠材２１の長さ方向に続く上側側縁２４が、その続く側枠材２１の長さ方向において傾斜方向が正負変化する起伏曲折形状を成し、その正負変化する一方の傾斜方向の正斜面２７と他方の傾斜方向の負斜面２８の間が、布張パネルに向けて隆起した山部２９または布張パネルから遠ざかる方向に窪んだ谷部３０となっており、
（ｑ）  布張フレームの側枠材の底裏面１５が、支持フレームの側枠材２１の起伏曲折形状に対応した起伏曲折形状を成し、その布張フレームの側枠材１１の続く長さ方向に正負変化する一方の傾斜方向の正斜面１８と他方の傾斜方向の負斜面１９の間が、支持フレームから遠ざかる方向に窪んだ山部４９または支持フレームに向けて突き出た谷部５０となっており、
（ｒ）  布張フレームの正斜面１８と支持フレームの正斜面２７に当接し、布張フレームの負斜面１９が支持フレームの負斜面２８に当接し、布張フレームの山部４９と支持フレームの山部２９または布張フレームの谷部５０が支持フレームの谷部３０に嵌合している前掲請求項１と２と３の何れかに記載のクッションパネル。
【請求項５】
（ｓ）  布帛４０が布張フレームの側枠材１１において側枠材１１の底裏面側（１５）へと折り返され、その布帛の折返代４３が側枠材の底裏面１５に固定されている前掲請求項１と２と３と４の何れかに記載のクッションパネル。
【請求項６】
（ｔ）  布張フレームの側枠材の底裏面１５に布帛を押し込む布帛嵌込溝４２が、布張フレームの側枠材１１の長さ方向に沿って形成されており、その布帛嵌込溝４２に布帛の折返代４３が押圧材４４によって押し込まれている前掲請求項５に記載のクッションパネル。
【請求項７】
（ｕ）  布張フレームの側枠材の布帛嵌込溝４２が、支持フレームの側枠材２１よりも支持フレームの内側に位置し、布帛の折返代４３が布張フレームの側枠材１１と支持フレームの側枠材２１に挟まれている前掲請求項６に記載のクッションパネル。
【請求項８】
（ｖ）  布張フレームの向き合う側枠材１１ａと側枠材１１ｂの各側縁が、それらの向き合う側枠材（１１ａ・１１ｂ）から離れる方向に、支持フレームの側枠材２１の外側に向けて突き出た突出縁４１を構成している前掲請求項１と２と３と４と５と６と７の何れかに記載のクッションパネル。
【請求項９】
（ｗ）  布帛４０が、破断伸度が６０％以上、１５％伸長後の弾性回復率が９０％以上の弾性糸を用いて織編され、１０％伸長時の応力が１００Ｎ／５ｃｍ以上で４００Ｎ／５ｃｍ以下の弾性布帛である前掲請求項１と２と３と４と５と６と７と８の何れかに記載のクッションパネル。
【発明の詳細な説明】
【技術分野】
【０００１】
本発明では、座椅子、椅子、ソファー、座席等の肢体支持装置のシート（座面）、バックレスト（背凭れ）、ヘッドレスト、レッグレスト等の全身、腰、背中、頭、脚等の肢体に当接して支えるクッション面を構成するクッションパネルに関するものである。
詳しく説明すると、本発明は、肢体支持装置のフレームを構成する枠材と枠材の間に張設した布帛によってクッション面が構成されるクッションパネルに関するものである。
更に詳しく説明すると、本発明は、肢体支持装置のフレームを構成する枠材と枠材の間に張設した弾性布帛によって弾性に富むクッション面が構成され、クッション材として座椅子、椅子、ソファー、座席等の肢体支持装置に好適なクッションパネルに関するものである。
【背景技術】
【０００２】
枠材間に布帛を張設して成るクッションパネルは公知である（例えば、特許文献１、２参照）。
【特許文献１】特開２０００−３１６６６４号公報。
【特許文献２】特開２００３−３２５２７４号公報。
【発明の開示】
【発明が解決しようとする課題】
【０００３】
布帛を張設する肢体支持装置のフレームには、そのクッション面の直交方向に作用する体重に対する強度に加えて、クッション面に平行に作用する布帛の張力に対する強度との直交する２方向の外力に対する強度が要求されるので、布帛を張設するフレームには、フランジとウェブが直交したコ形鋼（溝形鋼）が使用され、そのウェブに布帛の周縁を係止する治具が設けられる（例えば、特許文献１参照）。
そのコ形鋼は、この長さ方向に真っ直ぐに連続しているので、コ形鋼に張設した弾性布帛によって構成されるクッション面は、起伏のない平面になる。
しかし、発泡ポリウレタンフォームや樹脂補強繊維積層体等の厚手のクッション材を使用した在来のクッションパネルのクッション面は、肢体の形状に応じた起伏があって肢体に馴染み易く、その起伏が程よい心地よさを感じさせることから、布帛に成るクッション面にも同様の起伏が求められる。
又、特許文献１に記載のクッションパネルでは、クッション性を備えた布帛をフレームに取り付けるために、布帛に取り付けた金属ワイヤーをフレーム側のリテーナーに掛止め止着する作業が必要であるが、それは簡単な着脱作業とは言えない。
そして、布帛を使用する場合は、使用時の衝撃・振動に対して安定した係合状態を得るために、そのフレームへの取り付けは頑強で手の込んだ手段にならざるを得ず、その取付作業には多大な苦労を伴う。
そして、特許文献２に記載のクッションパネルでは、その構成する布帛の取付孔をフレームの裏側のバックルに正確位置合わせをしなければならないので、その取付作業には相当の熟練と労力が要求され、簡便に実施することは出来ない。
【０００４】
そこで、本発明は、肢体支持装置のフレームに布帛を簡便且つ確実に張設し、使用時にクッション面に作用する振動や衝撃に対抗して布帛の緊張状態が保たれ、布帛とフレームとの安定した係合状態が保たれ、フレームが軽量で強度的に安定し、軽量で移動し易く、車両のシート（座面）やバックレスト（背凭れ）に最適のクッションパネルを提供することを目的とする。
【課題を解決するための手段】
【０００５】
本発明に係るクッションパネルは、（ａ）  所要の距離をおいて左右向き合う偏平断面形状の側枠材１１ａと側枠材１１ｂを連結材１２で連結して成る布張フレーム１３の当該側枠材間１１ａ・１１ｂに布帛４０を張設して成る布張パネル１４と、それらの側枠材１１ａ・１１ｂに密着して布張パネル１４を支持する支持フレーム２３とから成り、（ｂ）  布張フレームの側枠材１１ａ・１１ｂの偏平断面形状における縦横一方の寸法の長い長辺が、それらの側枠材間１１ａ・１１ｂに張設された布帛４０に対面しており、（ｃ）
支持フレーム２３は、布帛４０に対して表裏する布張フレーム１３の側枠材１１ａ・１１ｂの裏面に重なり合って密着しており、（ｄ）  布張フレームの側枠材１１ａ・１１ｂの裏面に重なり合って密着している支持フレーム２３の重合密着箇所が、少なくとも一部が偏平断面形状を成す側枠材２１ａ・２１ｂによって構成されており、（ｅ）  その支持フレームの側枠材２１ａ・２１ｂの偏平断面形状における縦横一方の寸法の短い短辺が、布張フレームの側枠材１１ａ・１１ｂの底裏面１５に向けられており、（ｆ）  布張フレームの側枠材１１ａ・１１ｂと支持フレームの側枠材２１ａ・２１ｂとの密着箇所において、布張フレームの偏平断面形状の側枠材１１ａ・１１ｂが交叉したフランジとウェブから成る形鋼のフランジに該当し、支持フレームの偏平断面形状の側枠材２１ａ・２１ｂが交叉したフランジとウェブから成る形鋼のウェブに該当する断面形状を布張フレームの側枠材１１ａ・１１ｂと支持フレームの側枠材２１ａ・２１ｂが構成しており、（ｇ）  布張フレーム１３の向き合う側枠材１１ａと側枠材１１ｂの各底裏面１５・１５にそれぞれ密着している支持フレームの側枠材２１ａと側枠材２１ｂの間が連結材２２によって連結されており、（ｈ）  布張パネル１４と支持フレーム２３が接合されており、（ｉ）  布張フレームの向き合う側枠材１１ａと側枠材１１ｂの間に張設された布帛４０が、肢体に当接して肢体を支えるクッション面１０を構成していることを第１の特徴とする。
【０００６】
本発明に係るクッションパネルの第２の特徴は、上記第１の特徴に加えて、（ｊ）  布張フレームの側枠材１１ａ・１１ｂの偏平断面形状における布帛４０に対面している長辺の寸法Ｗが、その長辺に直交する短辺の寸法Ｔの４倍以上であり、（ｋ）  支持フレームの側枠材２１ａ・２１ｂの偏平断面形状における布張フレームの側枠材の底裏面１５に向けられている短辺の寸法Ｖが、その短辺に直交する長辺の寸法Ｓの四分の一以下であり、（ｌ）  布張パネルの底裏面１５に当接する支持フレームの向き合う側枠材２１ａと側枠材２１ｂの各上縁から、それらの側枠材２１ａと側枠材２１ｂが向き合う方向に向けて、布張パネルの底裏面１５に当接する受け縁２５がそれぞれ突出しており、（ｍ）  布張フレーム１３と支持フレーム２３が、それらの重なり合う方向において互いに係合する係止治具１６・２６を具備し、（ｎ）  布張パネル１４と支持フレーム２３が、それらの係止治具１６・２６を介して係脱可能に接合されている点にある。
【０００７】
本発明に係るクッションパネルの第３の特徴は、上記第１および第２の何れかの特徴に加えて、（ｏ）  布帛４０に対面している布張フレームの側枠材の表平面１７が、クッション面１０の内側中央部が支持フレーム側（２３）に向けて窪む方向に、布張フレーム１３の側縁から傾斜した斜面になっている点にある。
【０００８】
本発明に係るクッションパネルの第４の特徴は、上記第１、第２および第３の何れかの特徴に加えて、（ｐ）  支持フレームの側枠材２１の布張パネルの底裏面１５に密着して当該支持フレームの側枠材２１の長さ方向に続く上側側縁２４が、その続く側枠材２１の長さ方向において傾斜方向が正負変化する起伏曲折形状を成し、その正負変化する一方の傾斜方向の正斜面２７と他方の傾斜方向の負斜面２８の間が、布張パネルに向けて隆起した山部２９または布張パネルから遠ざかる方向に窪んだ谷部３０となっており、（ｑ）
布張フレームの側枠材の底裏面１５が、支持フレームの側枠材２１の起伏曲折形状に対応した起伏曲折形状を成し、その布張フレームの側枠材１１の続く長さ方向に正負変化する一方の傾斜方向の正斜面１８と他方の傾斜方向の負斜面１９の間が、支持フレームから遠ざかる方向に窪んだ山部４９または支持フレームに向けて突き出た谷部５０となっており、（ｒ）  布張フレームの正斜面１８と支持フレームの正斜面２７に当接し、布張フレームの負斜面１９が支持フレームの負斜面２８に当接し、布張フレームの山部４９と支持フレームの山部２９または布張フレームの谷部５０が支持フレームの谷部３０に嵌合している点にある。
【０００９】
本発明に係るクッションパネルの第５の特徴は、上記第１、第２、第３および第４の何れかの特徴に加えて、（ｓ）  布帛４０が布張フレームの側枠材１１において側枠材１１の底裏面側（１５）へと折り返され、その布帛の折返代４３が側枠材の底裏面１５に固定されている点にある。
【００１０】
本発明に係るクッションパネルの第６の特徴は、上記第５の特徴に加えて、（ｔ）  布張フレームの側枠材の底裏面１５に布帛を押し込む布帛嵌込溝４２が、布張フレームの側枠材１１の長さ方向に沿って形成されており、その布帛嵌込溝４２に布帛の折返代４３が押圧材４４によって押し込まれている点にある。
【００１１】
本発明に係るクッションパネルの第７の特徴は、上記第６の特徴に加えて、（ｕ）  布張フレームの側枠材の布帛嵌込溝４２が、支持フレームの側枠材２１よりも支持フレームの内側に位置し、布帛の折返代４３が布張フレームの側枠材１１と支持フレームの側枠材２１に挟まれている点にある。
【００１２】
本発明に係るクッションパネルの第８の特徴は、上記第１、第２、第３、第４、第５、第６および第７の何れかの特徴に加えて、（ｖ）  布張フレームの向き合う側枠材１１ａと側枠材１１ｂの各側縁が、それらの向き合う側枠材（１１ａ・１１ｂ）から離れる方向に、支持フレームの側枠材２１の外側に向けて突き出た突出縁４１を構成している点にある。
【００１３】
本発明に係るクッションパネルの第９の特徴は、上記第１、第２、第３、第４、第５、第６、第７および第８の何れかの特徴に加えて、（ｗ）  布帛４０が、破断伸度が６０％以上、１５％伸長後の弾性回復率が９０％以上の弾性糸を用いて織編され、１０％伸長時の応力が１００Ｎ／５ｃｍ以上で４００Ｎ／５ｃｍ以下の弾性布帛である点にある。
【発明の効果】
【００１４】
本発明に係るクッションパネル３１は、上記第１の特徴を具備し、布張フレームの側枠材と支持フレームの側枠材との重合密着箇所において、布張フレームの側枠材１１がフランジとウェブから成る形鋼のフランジに該当し、支持フレームの側枠材２１がフランジとウェブから成る形鋼のウェブに該当する断面形状を成すので、布張フレームの側枠材１１と支持フレームの側枠材２１を薄くて軽い平板にしても強度的安定性が確保される。
【００１５】
偏平断面形状の部材では、偏平断面形状の長辺の寸法方向が短辺の寸法方向に比して撓み難い。
本発明では、布張フレームの側枠材１１の偏平断面形状における長辺が布帛４０に対面しており、その撓み易い側枠材１１の短辺の寸法方向には布張フレームの側枠材間１１ａ・１１ｂに張設されて緊張する布帛４０の張力が作用しないので、布帛４０を張設する取付過程で布張フレームが布帛４０に作用する張力によって撓むことなく、その張設作業を効率的に行うことが出来る。
他方、支持フレームの側枠材２１ａ・２１ｂの偏平断面形状における短辺が布張フレームの側枠材１１ａ・１１ｂの底裏面１５に向けられているが、クッションパネル３１の使用中に作用する主な外力は、肢体からクッション面１０に作用する体重であり、その作用する方向が支持フレームの側枠材２１ａ・２１ｂの長辺の寸法方向に一致し、その短辺の寸法方向には作用しないので、その使用中に作用する外力によっては支持フレームの側枠材２１ａ・２１ｂが撓むことがない。
このため、布張フレームの側枠材１１と支持フレームの側枠材２１を薄い平板状にしてもクッションパネル３１の強度的安定性が確保され、軽量化されて持ち運び易く、車両の座面や背凭れに最適なクッションパネル３１が得られる。
【００１６】
本発明に係るクッションパネルは、上記第２の特徴を具備し、布張フレーム１３と支持フレーム２３を接合する係止治具１６・２６が、それらの重なり合う方向において係脱自在に係合する構造にしても、クッションパネル３１の使用中に作用する主な外力は、肢体からクッション面１０に作用する体重であり、その作用する方向が布張フレーム１３と支持フレーム２３が重なり合う方向に一致するので、使用中に布張フレーム１３と支持フレーム２３が離脱することがない。
そのように係止治具１６・２６を係脱自在に係合する構造にするときは、支持フレーム２３に布張フレーム１３を重ね合わせただけでクッションパネル３１の組み立てが可能になり、クッションパネル３１の生産効率が大きく向上する。
そして、そのように係脱自在に一体化されたクッションパネル３１では、使用中に汚損した布張パネル１４を随時支持フレーム２３から取り外して清掃し、或いは、布帛４０を張り替える等してクッション面１０をクリーンに保ち易くなる。
【００１７】
本発明に係るクッションパネルは、上記第３の特徴を具備し、布張フレームの側枠材１１の表平面１７が支持フレーム側（２３）に向けて側縁から傾斜した斜面になっているので、使用中に外力が作用してクッション面１０の内側中央部が窪み、布帛４０が撓むとき、その撓む布帛４０が布張フレームの側枠材の表平面１７に密着せず、布帛４０の撓み方（撓み角度）が、側枠材の表平面１７に向き合う部分と、側枠材１１からクッション面１０の内側中央部へと続く部分との間で変化し、それらの部分の境目に、その窪むクッション面１０が布張フレームの側枠材１１に突き上げられたかの如き段差が現れるようなことがなく、布張フレームの側枠材１１に肢体が触れて突き上げられたかの如き不快感を与えることがない（図５と図６参照）。そして、布帛４０が使用時に撓んで伸縮するとき、それが布張フレームの側枠材の表平面１７に密着することがなく、側枠材の表平面１７からの摩擦抵抗によって布帛４０の伸縮が妨げられるようなことはなく、布帛４０の伸縮弾性によるクッション性に優れたクッションパネル３１が得られる。
更に、表平面１７が側縁から傾斜した斜面になっていれば、布張フレーム１３が、支持フレームの向き合う側枠材２１ａと側枠材２１ｂの間に嵌まり込んで、その側枠材２１ａと側枠材２１ｂが向き合う方向に布張フレーム１３がズレ移動し難い恰好になるので（図３−ｃ参照）、その側枠材２１ａと側枠材２１ｂが向き合う方向に向けた剪断応力が布張フレーム１３と支持フレーム２３を接合する係止治具１６・２６に使用中に作用し難く、それらの係止治具１６・２６を、強度的に補強された重厚な構造にする必要はなく、嵌合孔４５に嵌合軸４６が嵌合するだけの単純な構造にすることが出来る。
【００１８】
本発明に係るクッションパネルは、上記第４の特徴を具備し、布張フレームの正斜面１８と支持フレームの正斜面２７に当接し、布張フレームの負斜面１９が支持フレームの負斜面２８に当接し、布張フレームの山部４９と支持フレームの山部２９または布張フレームの谷部５０が支持フレームの谷部３０に嵌合するので（図４・図８参照）、布張フレームの側枠材１１と支持フレームの側枠材２１の各長さ方向に向けた剪断応力が布張フレーム１３と支持フレーム２３を接合する係止治具１６・２６に使用中に作用し難くなり、この点でも、それらの係止治具１６・２６を、強度的に補強された重厚な構造にする必要はなく、嵌合孔４５に嵌合軸４６が嵌合するだけの簡便な構造にすることが出来る。
【００１９】
本発明に係るクッションパネルは、上記第５の特徴を具備し、布帛の折返代４３が側枠材の底裏面１５に固定されているので、その固定箇所に使用中に布帛４０に作用する張力が伝わり難く、その固定構造を、布帛の折返代４３の端部をタッカー（ホッチキス）が側枠材の底裏面１５に釘止めするだけの単純な構造とすることが出来、或いは、布帛の折返代４３の端部を側枠材の底裏面１５にポリプロピレン、ポリカーボネート、アクリルニトリルブタジエンスチレン、ナイロン、ポリエステル、ポリアセタール等の合成樹脂によって接着することも出来、そうすることによって、布帛４０を布張フレームに張設する作業効率が向上する。
【００２０】
本発明に係るクッションパネルは、上記第６の特徴を具備し、布帛嵌込溝４２に布帛の折返代４３を押圧材４４によって押し込むときは、その押し込んだ押圧材４４を布張フレームの側枠材１１にビス４７によって部分的に固定して布帛４０を布張フレームに張設することが出来、その張設作業を効率的に行うことが出来る（図５参照）。
【００２１】
本発明に係るクッションパネルは、上記第７の特徴を具備し、布帛の折返代４３が布張フレームの側枠材１１と支持フレームの側枠材２１に挟まれ、布帛嵌込溝４２に布帛の折返代４３を押し込んだ押圧材４４を支持フレームの側枠材２１によって布帛嵌込溝４２へと押圧することが出来、押圧材４４をビス４７によって側枠材１１に固定する手間も省け、布張フレームに布帛４０を張設する作業効率が更に向上する（図６参照）。
【００２２】
本発明に係るクッションパネルは、上記第８の特徴を具備し、支持フレームの側枠材２１の外側に突き出た突出縁４１が布帛の折返代４３に被覆され、支持フレームの側枠材２１に肌身が触れ難く、周縁が布帛４０に縁取られて美しく感触のよいクッションパネル３１が得られる（図５と図６参照）。
【００２３】
本発明に係るクッションパネルは、上記第９の特徴を具備し、使用中にクッション面１０が大きく窪んで底打ち感を与えず、クッション面１０に皺が発生せず、クッション面１０の緊張状態が保たれ、クッション性に優れたクッションパネル３１が得られる。
【発明を実施するための最良の形態】
【００２４】
「布張フレームの側枠材１１が扁平断面形状を成す」とは、側枠材１１の横断面の寸法が最も長い方向の寸法（長辺とも言う。）Ｗの方向に直角方向における寸法（短辺とも言う。）Ｔよりも長く、その長辺と短辺の比Ｗ／Ｔが慨して４（４倍）以上となる形状を成すことを意味する。
扁平断面形状を成すのであれば、側枠材１１は、複数枚の平板部材を積層して一体化したものであってもよいし、図７に示すように、表面材３３と裏面材３４を重ね合わせ、その間に空洞３５を形成した中空扁平断面形状を成すものであってもよい。
そのように、側枠材１１を中空扁平断面形状にすると、側枠材１１が軽量化され、空洞によって断熱性が付与され、冷感を与えず、感触の良いものとなる。
その場合、図７に示すように、裏面材３４には係止治具１６を突設すると共に、布帛の折返代４３を押し込む嵌込溝４２を付設する。
表面材３３と裏面材３４には、それらの向き合う面に空洞３５を仕切るリブ（補強用畝・Ｒｉｂ）３６・３７を設けるとよく、そうすることによって、側枠材１１を軽量で強度的に安定したものとすることが出来る。
【００２５】
本発明を効果的に実施するためには、側枠材１１の横断面における長辺と短辺の比（扁平率Ｗ／Ｔ）を５〜１５倍にするとよい。
布帛の折返代を押し込む嵌込溝４２や係止治具１６が側枠材１１の横断面を縁取る輪郭に凹凸となって現れる場合、短辺の寸法Ｔは、嵌込溝４２や係止治具１６による凹凸が現れない箇所での寸法とし、長辺と短辺の比（扁平率Ｗ／Ｔ）が算定される。
即ち、嵌込溝４２による凹部、係止治具１６による凸部、側枠材の表平面１５や底裏面１５に付設される出所表示や付飾的凹凸、補強リブ等に局部的凹凸が側枠材１１の横断面を縁取る輪郭に現れる場合、それらの局部的凹部や凸部における寸法は、長辺と短辺の比（扁平率Ｗ／Ｔ）の算定における長辺や短辺の寸法（Ｗ・Ｔ）としては扱われず、このことは、支持フレームの側枠材２１ａ・２１ｂの横断面における短辺の寸法Ｖと長辺の寸法Ｓの比（扁平率）を算定する場合も同様である。
【００２６】
側枠材１１の突出縁４１となる外側側縁が角張った感触を与えないようにするためには、図７に示すように、布帛４０に触れる表平面側１７を大きく彎曲した弓形断面形状にするとよい。
【００２７】
「支持フレームの側枠材２１の少なくとも一部が扁平断面形状を成す」とは、支持フレームの側枠材２１が、平板のように横断面の全体が扁平断面形状を成すものに限らず（図５）、角パイプやコ形鋼（溝形鋼）のように、横断面において、平行に向き合う複数の扁平断面形状の平板部３８・３９があるものであってもよい（図６）、と言うことを意味しする。
角パイプやコ形鋼を側枠材２１に用いる場合は、その向き合う２つの平板部３８・３９が、布張フレームの側枠材１１の構成するフランジに対応するウェブを構成することになる（図６参照）。
そのように２つの平板部３８・３９が向き合っていて、側枠材２１の全体の幅Ｚが分厚くなっても、布帛４０は、側枠材１１の薄い布張フレーム１３に張設されるものであって、支持フレーム２３に直接張設されることはない。
従って、角パイプやコ形鋼を側枠材２１に用い、支持フレームの側枠材全体の幅Ｚが分厚くなるとしても、そのことによって布帛４０の張設作業に支障を来すことはない。
【００２８】
形状安定性の点では、布張フレーム１３と支持フレーム２３を、それぞれ向き合う一対の側枠材１１ａ（２１ａ）と側枠材１１ｂ（１１ｂ）を、向き合う一対（二本）の連結材１２（２２）で連結した矩形（ロ字形ないし井形）にするとよい。
しかし、布張フレーム１３と支持フレーム２３を、それぞれ向き合う一対の側枠材１１ａ（２１ａ）と側枠材１１ｂ（１１ｂ）を一本の連結材１２（２２）で連結したコ字形にすることも出来る（図８参照）。
特に、座椅子、椅子、ソファー、座席等のシート（座面）とバックレスト（背凭れ）から成る肢体支持装置２０では、クッションパネル３１をシート（座面５１）とバックレスト（背凭れ５２）の双方に適用することが出来る（図１参照）。
その場合、布張フレーム１３と支持フレーム２３を、それぞれ向き合う一対の側枠材１１ａ（２１ａ）と側枠材１１ｂ（２１ｂ）を一本の連結材１２（２２）で連結したコ字形にし、シート用クッションパネルをバックレスト用布張フレーム１３やバックレスト用支持フレーム２３の向き合う一対の側枠材１１ａ（２１ａ）と側枠材１１ｂ（１１ｂ）を連結する連結材１２（２２）に利用し、それとは逆に、バックレスト用クッションパネルをシート用布張フレーム１３やシート用支持フレーム２３の向き合う一対の側枠材１１ａ（２１ａ）と側枠材１１ｂ（１１ｂ）を連結する連結材１２（２２）に利用することも出来る。
側枠材間（１１ａ・１１ｂ，２１ａ・２１ｂ）を一本の連結材（１２・２２）で連結したコ字形フレームのようにクッションパネル３１の組立過程で変形する虞れのあるフレーム（１３・２３）では、仮枠材４８によって側枠材や側枠材間を一時的に補強するとよい（図８参照）。
【００２９】
車両の座席（座面）のように支持フレーム２３が車体のフレームに固定されるクッションパネルでは、支持フレーム２３を車体のフレームの一部とすることも出来、又、車体のフレームを支持フレーム２３の向き合う一対の側枠材２１ａと側枠材２１ｂを連結する連結材２２に利用することも出来る。
連結材２２は、桿状を成すものであっても、又、複数本の桿状部材３２・３２………を井形に組み立てた枠体を成すものでもよく（図８参照）、或いは又、平板な板状を成すものでもよい。
布張フレーム１３や支持フレーム２３は、プラフチックにより側枠材１１（２１）と連結材１２（２２）を一体成形することも出来る。
【００３０】
布帛４０は、布張フレーム１３の向き合う一対の側枠材１１ａと側枠材１１ｂの間に緊張して張設するが、側枠材１１と連結材１２が布張フレーム１３の周囲を縁取るように連続したものでは、布帛の周縁を連結材１２にも固定することが出来る（図８参照）。
その場合、布張フレームの連結材１２と支持フレームの連結材２２とは、布張フレームの側枠材１１と支持フレームの側枠材２１と同様に扁平断面形状にし、布張フレーム１３と支持フレーム２３と同様に、それらが密着して布張フレームの連結材１２がフランジとウェブから成る形鋼のフランジに該当し、支持フレームの連結材２２がフランジとウェブから成る形鋼のウェブに該当する断面形状を成すようにし、又、布張フレームの側枠材１１と支持フレームの受け縁２５と同様に布張フレームの連結材１２と支持フレームの連結材２２をクッション面１０の内側へと傾斜（θ）させ、或いは又、布張フレームの側枠材１１と支持フレームの側枠材２３と同様に布張フレームの連結材１２と支持フレームの連結材２２を山部と山部または谷部と谷部が嵌合する起伏曲折形状にするとよい（図８参照）。
【００３１】
そのように、布張フレームの側枠材１１と支持フレームの側枠材２３だけでなく、布張フレームの連結材１２と支持フレームの連結材２２にも、山部５３と山部５４または谷部５５と谷部５６を設け、それらの連結材１２・２２も山部５３と山部５４または谷部５５と谷部５６が嵌合する起伏曲折形状にすることによって、クッション面１０が肢体に対応して起伏し、肢体の馴染み易いクッションパネル３１が得られる（図１参照）。
それと共に、それらの連結材１２・２２を、山部５３と山部５４または谷部５５と谷部５６が嵌合する起伏曲折形状にすることによって、布張フレームの側枠材１１と支持フレームの側枠材２１の各幅方向に向けた剪断応力が布張フレーム１３と支持フレーム２３を接合する係止治具１６・２６に使用中に作用し難くなる。
この点でも、係止治具１６・２６を強度的に補強された重厚な構造にする必要は全くなく、嵌合孔４５に嵌合軸４６が嵌合するだけの簡便な構造にすることが出来る。
その点では、布張フレーム１３と支持フレーム（２３）を、クッションパネル３１の幅方向において一対の側枠材１１ａ（２１ａ）と側枠材１１ｂ（１１ｂ）が向き合うと共に、クッションパネル３１の幅方向においても側枠材１１ａ（２１ａ）と側枠材１１ｂ（１１ｂ）連結する一対の連結材（１２・１２，２２・２２）が向き合った矩形枠にすることが望ましい。
【００３２】
布張フレームの側枠材１１の表平面１７を支持フレーム側（２３）に向けて側縁から傾斜した斜面とする場合、その傾斜角度θが３０°を超えると、布張フレームの側枠材と支持フレームの側枠材との重合密着箇所において、布張フレームの側枠材１１がフランジとウェブから成る形鋼のフランジに該当し、支持フレームの側枠材２１がフランジとウェブから成る形鋼のウェブに該当する断面形状にする意味が薄れ、布帛４０を張設する取付過程で布張フレームの側枠材１１が撓み易くなる。
これらの点を考慮し、その側枠材１１の表平面１７の傾斜角度θを１０°〜３０°にすることが望まれる。
【００３３】
クッションパネル３１の周縁での感触をよくするには、図７に示すように布張フレームの側枠材１１の側縁（４１）を大きく彎曲した弓形断面形状にすると共に、側枠材の表平面１７を発泡樹脂地（ポリウレタンフォームやスポンジ等）や繊維積層体（樹脂含浸繊維ウエブやニーパンフエルト等）で被覆し、或いは、その発泡樹脂地や繊維積層体を側枠材の表平面１７と布帛４０の間に挟み込んで、布帛４０の周縁が布張フレームの側枠材１１に押し上げられたかの如き不快感を与えないようにする。
【００３４】
布張フレームの係止治具１６と支持フレームの係止治具２６の係合部は、クッション面１０に直交する方向において雌雄嵌合する嵌合孔４５と嵌合軸４６によって構成することが出来る。
図５と図６に示すクッションパネル３１では、布張フレームに嵌合軸４６を突設し、支持フレームに嵌合孔４５を穿設しているが、支持フレームに嵌合軸を突設し、布張フレームに嵌合孔を穿設することも出来る。
【００３５】
嵌合軸４６は、図５と図６に示すように、先端部分に膨らみのある尖端形を成すものであってもよいし、嵌合孔４５は、その尖端形の嵌合軸４６の先端の膨らみ部分を弾性的に把持するように、鋼材等のバネ弾性材料によってクリップ状に形成することも出来る。
係止治具１６・２６は、クッション面１０に直交する方向において雌雄係合するのであれば、ホックや面ファスナーによって構成することも出来る。
又、係止治具１６・２６は、布張フレームや支持フレームにそれぞれ一体的に形成された嵌合孔（４５）や嵌合軸（４６）であってもよい。
布張パネル１４と支持フレーム２３の接合は、ビスやネジによるものであってもよいし、それらに付設したリングに係合するフック（鈎）を介して接合することも出来る。
【００３６】
布張パネル１４と支持フレーム２３の接合形態が、上記何れの場合でも、布張フレームの側枠材１１と支持フレームの受け縁２５を側枠材１１ａ（２１ａ）と側枠材１１ｂ（２１ｂ）の向き合う方向に傾斜（θ）させ（図５・図６参照）、更には、布張フレームの側枠材１１と支持フレームの側枠材２３を山部４９と山部２９または谷部５０と谷部３０が嵌合する起伏曲折形状にすると（図４・図８参照）、布張パネル１４と支持フレーム２３の接合する係止治具１６・２６が極く離脱し易いものでも、布張パネル１４と支持フレーム２３が使用中に離脱することはなく、それらの間の接合状態は安定に保たれる。
【図面の簡単な説明】
【００３７】
【図１】本発明に係る肢体支持装置の組立斜視図である。
【図２】本発明に係るクッションパネルの組立正面断面図である。
【図３】本発明に係るクッションパネルの組立正面断面図である。
【図４】本発明に係るクッションパネルの組立側面断面図である。
【図５】本発明に係るクッションパネルの要部拡大正面図である。
【図６】本発明に係るクッションパネルの要部拡大正面図である。
【図７】本発明に係る布張フレームの側枠材の断面図である。
【図８】本発明に係る布張フレームと支持フレームの組立斜視図である。
【符号の説明】
【００３８】
１０：クッション面
１１：側枠材
１２：連結材
１３：布張フレーム
１４：布張パネル
１５：底裏面
１６：係止治具
１７：表平面（斜面）
１８：正斜面
１９：負斜面
２０：肢体支持装置
２１：側枠材
２２：連結材
２３：支持フレーム
２４：上側側縁
２５：受け縁
２６：係止治具
２７：正斜面
２８：負斜面
２９：山部
３０：谷部
３１：クッションパネル
３２：桿状部材
３３：表面材
３４：裏面材
３５：空洞
３６・３７：リブ
３８・３９：平板部
４０：布帛
４１：突出縁
４２：布帛嵌込溝
４３：折返代
４４：押圧材
４５：嵌合孔
４６：嵌合軸
４７：ビス
４８：仮枠材
４９：山部
５０：谷部
５１：シート（座面）
５２：バックレスト（背凭れ）
５３・５４：山部
５５・５６：谷部
【図１】
2007020840.tif 000003
【図２】
2007020840.tif 000004
【図３】
2007020840.tif 000005
【図４】
2007020840.tif 000006
【図５】
2007020840.tif 000007
【図６】
2007020840.tif 000008
【図７】
2007020840.tif 000009
【図８】
2007020840.tif 000010